(57)【要約】【課題】種々の状況にある人が、椅子に座れる限り、家庭や職場、その他のごく普通の場所において、着席したままの状態で、脚部の運動や足裏の指圧を簡単に行うことができ、椅子そのものとしての使い勝手も良好なエクササイズチェアの提供を課題とする。【解決手段】座部１０と脚部２０と背もたれ部３０を有し、先端部に足受けペダル５２を設けると共に基端部に指圧手段５３を設けたレバー５１を、座部１０に対して回動可能に枢支すると共にバネ体５４によって枢支位置と先端部との中途位置でバネ付勢状態に座部１０から吊り下げ、これにより足受けペダル５２を座部１０の前方下部において床から浮かした状態に配置し、指圧手段５３を背もたれ部３０側から座部１０側の空間に向けて臨むようにして配置し、足受けペダル５２がバネ体５４によるバネ付勢に抗して押し下げられたときに指圧手段５３が背もたれ部側から座部側へ回動進出するように構成した。【選択図】      図１
2006288784.tif 000002
【特許請求の範囲】
【請求項１】
座部と脚部と背もたれ部とを有し、前記座部の前方下部に、バネ付勢された足受けペダルを床から浮かした状態に配置してあることを特徴とするエクササイズチェア。
【請求項２】
足受けペダルの上面に指圧用突起が設けられていることを特徴とする請求項１に記載のエクササイズチェア。
【請求項３】
足受けペダルは一対からなり、それぞれ一対のレバーの先端部に設けられ、各レバーは枢軸を中心に回動可能に取り付けられると共に枢軸と足受けペダルとの中途位置でバネ体によって吊り下げられた状態に設けられていることを特徴とする請求項１又は２に記載のエクササイズチェア。
【請求項４】
レバーの基端部に指圧手段を、背もたれ部側から座部側の空間に向けて臨むようにして設け、足受けペダルが押し下げられたときに枢軸を介して指圧手段が背もたれ部側から座部側へ回動進出するように構成されていることを特徴とする請求項３に記載のエクササイズチェア。
【請求項５】
座部と背もたれ部の一部に温熱加熱される温熱加熱領域を設けたことを特徴とする請求項１〜４の何れかに記載のエクササイズチェア。
【請求項６】
肘掛部の一部に温熱加熱される温熱加熱領域を設けたことを特徴とする請求項１〜５の何れかに記載のエクササイズチェア。
【発明の詳細な説明】
【技術分野】
【０００１】
本発明は座りながらにして脚部の運動や足裏等の指圧を行うことができるエクササイズチェアに関する。
【背景技術】
【０００２】
従来、室内で行うトレーニングには、いわゆるトレーニングマシーンと言われるトレーニング専用の機械、器具を用いて行うものがよく知られている。これらの器具によるトレーニングは、ジム等に通って或いは専用のマシーンを購入して行うことができる。これらの専用マシーンによるトレーニング等は、一般にはハードな運動と言えるものである。
一方、最近は生活習慣病の予防や治療のために、ウォーキングやジョギング、プールでの水中歩行等が盛んに行われるようになってきた。が、ウォーキングやジョギングを行うためには時間や場所が必要となってくる。
また年寄りや体の不自由な人、病後の人等にとっても、健康回復、体力回復、リハビリテーション、ボケ防止のために、ゆっくりした運動、負担のない運動がその人の状況に応じて必要になってきている。
更には長時間椅子に座りっぱなしで仕事をしている人にとっては、適当な運動を兼ねた休憩が必要であるとされている。
【０００３】
椅子を利用した運動設備としては、従来、例えば足踏み健康器（特許文献１）、足踏み式マッサージ椅子（特許文献２）、下肢用訓練装置（特許文献３）、ペダル式足のうら健康器（特許文献４）が提供されている。
【特許文献１】特開２００２−２３３５９１号公報
【特許文献２】特開２００１−１０４４２６号公報
【特許文献３】特開２０００−１５２９６８号公報
【特許文献４】特開平１０−９４５７７号公報
【発明の開示】
【発明が解決しようとする課題】
【０００４】
ところが上記特許文献１、３、４に開示されたものは、椅子とは別に用意されるものであり、椅子に付随していないので、使用の度に持ち出してきてセットしなければならない問題がある。
また上記特許文献２に開示されたものは、足踏みと腰部等の指圧が可能な椅子ではあるが、実質的には足踏みマッサージ専用椅子であり、足踏み部分の設備が嵩高く、また重く、よって椅子を容易に動かし難い問題がある。また足踏みを行わないときの足の置き場が十分確保されていないという問題がある。更にデスクワーク等において机と組み合わせて軽快に用いることができないという問題や、単独の椅子として使用する場合でも足場や重量等の問題がある。
【０００５】
そこで本発明は上記従来技術の問題を解決し、老若男女が、また健康な人、病気の人等、種々の状況にある人が、椅子に座れる限りにおいて、家庭や職場、その他のごく普通の場所において、着席したままの状態で、軽快に脚部の運動や足裏の指圧を簡単に行うことができ、また椅子そのものとしての使い勝手も良好なエクササイズチェアの提供を課題とする。
【課題を解決するための手段】
【０００６】
上記課題を達成するための本発明のエクササイズチェアは、座部と脚部と背もたれ部とを有し、前記座部の前方下部に、バネ付勢された足受けペダルを床から浮かした状態に配置してあることを第１の特徴としている。
また本発明のエクササイズチェアは、上記第１の特徴に加えて、足受けペダルの上面に指圧用突起が設けられていることを第２の特徴としている。
また本発明のエクササイズチェアは、上記第１又は第２の特徴に加えて、足受けペダルは一対からなり、それぞれレバーの先端部に設けられ、各レバーは枢軸を中心に回動可能に取り付けられると共に枢軸と足受けペダルとの中途位置でバネ体によって吊り下げられた状態に設けられていることを第３の特徴としている。
また本発明のエクササイズチェアは、上記第３の特徴に加えて、レバーの基端部に指圧手段を、背もたれ部側から座部側へ覗くように設け、足受けペダルが押し下げられたときに枢軸を介して指圧手段が背もたれ部側から座部側へ回動進出するように構成されていることを第４の特徴としている。
また本発明のエクササイズチェアは、上記第１〜４の何れかの特徴に加えて、座部と背もたれ部の一部に温熱加熱される温熱加熱領域を設けたことを第５の特徴としている。
また本発明のエクササイズチェアは、上記第１〜５の何れかの特徴に加えて、肘掛部の一部に温熱加熱される温熱加熱領域を設けたことを第６の特徴としている。
【発明の効果】
【０００７】
請求項１に記載のエクササイズチェアによれば、使用者は椅子に座った状態で、足を足受けペダル上に置き、足受けペダルを踏むことで、バネ付勢に抗して足受けペダルが押し下がり、足の力を抜くと足受けペダルが元に復帰する。このようにして足受けペダルによる足踏みを繰り返して行うことで、脚部のエクササイズを行うことができる。足踏みは左右の足を交互に踏むようにしてもよいし、同時に踏むようにすることもできる。
よって請求項１に記載のエクササイズチェアによれば、椅子に座りながら脚部の運動を行うことができる。また椅子に座りながら脚部のリハビリや筋肉増強を図ることができる。
また足受けペダルによる足踏みは、使用者自身のペースで行うことができるので、無理をすることもない。
またバネ付勢の強弱を調整することで、使用者に応じた脚部の運動が座りながらに可能となる。
運動を行わない場合には、足を足受けペダルから外し或いは置いたままでも、普通の椅子として使用できる。
足受けペダルは前記座部の前方下部に配置されるので、机を組み合わせた場合にも特に邪魔とならず、仕事机やその他のデスクの椅子としても利用できる。
【０００８】
請求項２に記載のエクササイズチェアによれば、請求項１に記載の構成による効果に加えて、足受けペダルの上面に指圧用突起が設けられていることにより、素足等で足受けペダルを踏むことにより、足裏のツボを刺激することができ、血行の改善や健康の改善につながる。
【０００９】
請求項３に記載のエクササイズチェアによれば、請求項１又は２に記載の構成による効果に加えて、足受けペダルは一対からなり、それぞれ枢軸を中心に回動可能に取り付けられたレバーの先端部に設けられて、前記座部の前方下部に配置される。また各レバーはバネ体によって足受けペダルのある先端部と枢軸との間の中途位置で吊り下げられる。よってエクササイズを行うためのレバーやバネ体等のエクササイズ用部材が座部の下に収容された状態のコンパクトなエクササイズチェアの提供が可能となり、通常の椅子としての使用にも十分にその機能を発揮させることができる。
【００１０】
請求項４に記載のエクササイズチェアによれば、請求項３に記載の構成による効果に加えて、足受けペダルが踏まれて押し下げられると、指圧手段が枢軸を介して回動し、これによって椅子の背もたれ部側から座部側へ進出し、座っている使用者の腰部ないし背部を指圧する。
よって請求項４に記載のエクササイズチェアによれば、使用者は座った状態で脚の運動をしながら、自己の脚力を利用した形で腰部や背部の指圧を行うことができ、デスクワークの休憩時やその他の際に一石二鳥の効果を奏させることができる。
【００１１】
請求項５に記載のエクササイズチェアによれば、請求項１〜４の何れかに記載の構成による効果に加えて、座部と背もたれ部の一部に温熱加熱される温熱加熱領域を設けたことで、冬場等においても、着座中に十分な暖を取りながらエクササイズを行うことができ、老人や病人にも使い易いものとすることができる。
【００１２】
請求項６に記載のエクササイズチェアによれば、請求項１〜５の何れかに記載の構成による効果に加えて、肘掛部の一部に温熱加熱される温熱加熱領域を設けたことで、冬場等において、老人や病人が座って肘掛に手を置いた際にも冷たく感じることなく、心地よく座ってエクササイズに臨むことができる。
【発明を実施するための最良の形態】
【００１３】
以下の図面を参照して、本発明のエクササイズチェアの実施形態について説明する。
図１は実施形態に係るエクササイズチェアを斜め前方から見た斜視図、図２はエクササイズチェアの側面図、図３はエクササイズチェアを斜め後方から見た斜視図、図４は本発明の実施形態に係るエクササイズチェアに人が座った状態を示す側面図、図５はエクササイズチェアにおけるレバー周りの部材の側面図である。
【００１４】
エクササイズチェア１は、座部１０、脚部２０、背もたれ部３０、肘掛部４０とを有し、人が座る椅子としての一般的構成をなしている。
一方、椅子に座りながらにしてエクササイズを行えるようにするためのエクササイズ用部材として、レバー５１、足受けペダル５２、指圧手段５３、吊り下げ用のバネ体５４、緩衝用のバネ５５、枢軸用のネジ棒５６等を備えている。
【００１５】
前記座部１０は人が座る部分で、椅子の前面側から背面側にかけて略水平に設けられている、座部１０の背面側の端部は、前記レバー５１を回動自在に枢支するために枢軸受け部１１として構成されている。この枢軸受け部１１は、座部１０と当初から一体的に形成してもよいし、後から座部１０に結合して一体とするものでもよい。
枢軸受け部１１には、レバー５１を嵌め込むための一対の溝１１ａが設けられている。また前記枢軸用のネジ棒５６を受け入れて螺合するネジ棒受け孔１１ｂが設けられている。
座部１０の上面には座部温熱加熱領域１２が設けられている。該座部温熱加熱領域１２にはヒータが内蔵されている。
【００１６】
前記脚部２０は４本の脚２１から構成することができる。勿論、脚２１は必ずしも４本である必要はない。要するに椅子を立設状態に支持できるものであればよい。
【００１７】
前記背もたれ部３０は、その下半部等、一部が空間として開放され、指圧手段５３が背後から座部１０側の空間に覗くようにされている。背もたれ部３０には背部温熱加熱領域３１が設けられている。該背部温熱加熱領域３１にはヒータが内蔵されている。
また背もたれ部３０には、必要に応じて指圧部３２を着脱自在に取り付けることができるようにしている。
【００１８】
前記肘掛部４０は、座った際に肘を掛ける部分である。肘掛部４０には、手の平を置く付近、即ち図１に示す実施形態では、肘掛部４０の屈曲部に手部温熱加熱領域４１を設けている。該手部温熱加熱領域４１にはヒータが内蔵されている。
【００１９】
前記レバー５１は一対で設けられ、その先端部にそれぞれ足受けペダル５２が設けられている。またレバー５１の基端部に、それぞれ指圧手段５３が設けられている。レバー５１の形状は細長い板状であっても棒状であってもよい。
レバー５１の基端部に近い屈曲部には、内向きの膨出部５１ａが設けられており、この膨出部５１ａが前記座部１０の枢軸受け部１１の溝１１ａに対して嵌め込まれるようになされている。膨出部５１ａには、前記ネジ棒５６が貫通するネジ棒貫通孔５１ｂが設けられている。
ネジ棒５６が座部１０の前記ネジ棒受け孔１１ｂ及び溝１１ａに嵌め込まれたレバー５１のネジ棒貫通孔５１ｂに差し込まれて保持されることで、レバー５１に対する枢軸となる。
【００２０】
前記足受けペダル５２は、椅子に座った人が足を置くことができるペダルで、レバー５１の先端部に設けられ、その上面には指圧用突起５２ａが設けられている。
足受けペダル５２は座部１０の前方下部、より詳しくは椅子の直ぐ前の下方であり、椅子に座った状態で足が伸びきってしまわない程度の高さ位置に配置する。これによって椅子に座った者は足で足受けペダル５２を押し下げることができる。足受けペダル５２は床から浮いた状態に配置される。
【００２１】
前記指圧手段５３は前記レバー５１の基端部に設けられる。指圧手段５３は、既述したように、背もたれ部３０の開放部から座部１０側へ覗くように配置される。
指圧手段５３には、その内向き面に指圧用突起５３ａを設けている。
この指圧手段５３は、レバー５１の前記膨出部５１ａより基端側の部分から取り外しができるように構成してもよい。
【００２２】
前記吊り下げ用のバネ体５４は、例えばコイルバネで構成することができる。バネ体５４の上端部は座部１０の下面側に連結固定され、一方、バネ体５４の下端部はレバー５１に連結固定される。バネ体５４はレバー５１の先端部と枢軸との中途位置にあって、レバー５１を吊り下げる。
【００２３】
前記緩衝用のバネ５５は、レバー５１の前記膨出部５１ａよりも少し基端部側に配置され、レバー５１と座部１０との間に介装された状態でクッションの役割をなして、レバー５１の動きを滑らかにすると共に、指圧手段５３の動きを滑らかにする役割を果たす。
【００２４】
枢軸用のネジ棒５６は、既述したようにレバー５１の枢軸となる部材である。該ネジ棒５６は、その先端部付近だけに螺条が設けられたものとすることができ、ネジ棒受け孔１１ｂに差し込まれ、一対のレバー５１のネジ棒貫通孔５１ｂを貫通した先において、ネジ棒受け孔１１ｂの対応する螺条と螺合するようにすることができる。
【００２５】
なお椅子１には、座部温熱加熱領域１２、背部温熱加熱領域３１、手部温熱加熱領域４１へ電源を供給するための電気接続部６０を設けておく。この電気接続部６０は前記３つの加熱領域１２、３１、４１に共通に１つ設け或いはそれぞれ設けてもよい。
【００２６】
今、椅子１に座った者が、足をそれぞれ足受けペダル５２の上に載せ、この足受けペダル５２を交互に或いは同時に下方に押すと、この足受けペダル５２がバネ体５４に抗して、押し下がる。このときレバー５１は膨出部５１ａに貫通するネジ棒５６を枢軸として回動し、指圧手段５３が背もたれ部３０から座部１０側へ進出して、座った者の腰部或いは背部を指圧する。
足の力を抜くと、足受けペダル５２はバネ体５４によって上方へ復帰する。足受けペダル５２の押し下げを繰り返すことで、椅子に１に座りながら脚部の運度を行うことができ、脚部等の筋力アップ、病後等のリハビリテーション、仕事等の合間のリラクゼーションを効果的に行うことができる。
【図面の簡単な説明】
【００２７】
【図１】本発明の実施形態に係るエクササイズチェアを斜め前方から見た斜視図である。
【図２】本発明の実施形態に係るエクササイズチェアの側面図である。
【図３】本発明の実施形態に係るエクササイズチェアを斜め後方から見た斜視図である。
【図４】本発明の実施形態に係るエクササイズチェアに人が座った状態を示す側面図である。
【図５】本発明の実施形態に係るエクササイズチェアにおけるレバー周りの部材の側面図である。
【符号の説明】
【００２８】
１      エクササイズチェア
１０    座部
１１    枢軸受け部
１１ａ  溝
１１ｂ  ネジ棒受け孔
１２    座部温熱加熱領域
２０    脚部
２１    脚
３０    背もたれ部
３１    背部温熱加熱領域
３２    指圧部
４０    肘掛部
４１    手部温熱加熱領域
５０    エクササイズ用部材
５１    レバー
５１ａ  膨出部
５１ｂ  ネジ棒貫通孔
５２    足受けペダル
５２ａ  指圧用突起
５３    指圧手段
５３ａ  指圧用突起
５４    バネ体
５５    バネ
５６    ネジ棒
６０    電気接続部
【図１】
2006288784.tif 000003
【図２】
2006288784.tif 000004
【図３】
2006288784.tif 000005
【図４】
2006288784.tif 000006
【図５】
2006288784.tif 000007
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
座部と脚部と背もたれ部とを有し、先端部に足受けペダルを設けると共に基端部に指圧手段を設けたレバーを、前記座部に対して回動可能に枢支すると共にバネ体によって前記枢支位置と前記先端部との中途位置でバネ付勢状態に座部から吊り下げ、これによって前記レバーの先端部の足受けペダルを前記座部の前方下部において床から浮かした状態に配置し、またレバーの基端部の指圧手段を前記背もたれ部側から座部側の空間に向けて臨むようにして配置し、前記足受けペダルが前記バネ体によるバネ付勢に抗して押し下げられたときに前記指圧手段が前記背もたれ部側から座部側へ回動進出するように構成したことを特徴とするエクササイズチェア。
【請求項２】
足受けペダルの上面に指圧用突起が設けられていることを特徴とする請求項１に記載のエクササイズチェア。
【請求項３】
指圧手段の内向き面に指圧用突起が設けられていることを特徴とする請求項１又は２に記載のエクササイズチェア。
【請求項４】
座部と背もたれ部の一部に温熱加熱される温熱加熱領域を設けたことを特徴とする請求項１〜３の何れかに記載のエクササイズチェア。
【請求項５】
肘掛部の一部に温熱加熱される温熱加熱領域を設けたことを特徴とする請求項１〜４の何れかに記載のエクササイズチェア。
【手続補正２】
【補正対象書類名】明細書
【補正対象項目名】０００６
【補正方法】変更
【補正の内容】
【０００６】
上記課題を達成するための本発明のエクササイズチェアは、座部と脚部と背もたれ部とを有し、先端部に足受けペダルを設けると共に基端部に指圧手段を設けたレバーを、前記座部に対して回動可能に枢支すると共にバネ体によって前記枢支位置と前記先端部との中途位置でバネ付勢状態に座部から吊り下げ、これによって前記レバーの先端部の足受けペダルを前記座部の前方下部において床から浮かした状態に配置し、またレバーの基端部の指圧手段を前記背もたれ部側から座部側の空間に向けて臨むようにして配置し、前記足受けペダルが前記バネ体によるバネ付勢に抗して押し下げられたときに前記指圧手段が前記背もたれ部側から座部側へ回動進出するように構成したことを第１の特徴としている。
また本発明のエクササイズチェアは、上記第１の特徴に加えて、足受けペダルの上面に指圧用突起が設けられていることを第２の特徴としている。
また本発明のエクササイズチェアは、上記第１又は第２の特徴に加えて、指圧手段の内向き面に指圧用突起が設けられていることを第３の特徴としている。
また本発明のエクササイズチェアは、上記第１〜第３の何れかの特徴に加えて、座部と背もたれ部の一部に温熱加熱される温熱加熱領域を設けたことを第４の特徴としている。
また本発明のエクササイズチェアは、上記第１〜第４の何れかの特徴に加えて、肘掛部の一部に温熱加熱される温熱加熱領域を設けたことを第５の特徴としている。
【手続補正３】
【補正対象書類名】明細書
【補正対象項目名】０００８
【補正方法】変更
【補正の内容】
【０００８】
加えて、足受けペダルは回動可能に取り付けられたレバーの先端部に設けられ、前記座部の前方下部に配置される。また各レバーは、バネ体によって足受けペダルのある先端部と枢軸との間の中途位置で吊り下げられる。よってエクササイズを行うためのレバーやバネ体等のエクササイズ用部材が座部の下に収容された状態のコンパクトなエクササイズチェアの提供が可能となり、通常の椅子としての使用にも十分にその機能を発揮させることができる。
特に本発明のエクササイズチェアによれば、レバー先端部の足受けペダルを前記座部の前方下部において床から浮かした状態に配置すると共に、レバーの基端部の指圧手段を前記背もたれ部側から座部側の空間に向けて臨むようにして配置し、前記足受けペダルが前記バネ体によるバネ付勢に抗して押し下げられたときに前記指圧手段が前記背もたれ部側から座部側へ回動進出するように構成したので、足受けペダルが踏まれて押し下げられると、指圧手段が枢軸を介して回動し、これによって椅子の背もたれ部側から座部側へ進出し、座っている使用者の腰部ないし背部を指圧する。
よって本発明のエクササイズチェアによれば、使用者は座った状態で脚の運動をしながら、自己の脚力を利用した形で腰部や背部の指圧を行うことができ、デスクワークの休憩時やその他の際に一石二鳥の効果を奏することができる。
【手続補正４】
【補正対象書類名】明細書
【補正対象項目名】０００９
【補正方法】変更
【補正の内容】
【０００９】
請求項２に記載のエクササイズチェアによれば、請求項１に記載の構成による効果に加えて、足受けペダルの上面に指圧用突起が設けられていることにより、素足等で足受けペダルを踏むことにより、足裏のツボを刺激することができ、血行の改善や健康の改善につながる。
【手続補正５】
【補正対象書類名】明細書
【補正対象項目名】００１０
【補正方法】変更
【補正の内容】
【００１０】
請求項３に記載のエクササイズチェアによれば、請求項１又は２に記載の構成による効果に加えて、指圧手段の内向き面に指圧用突起が設けられていることにより、指圧手段が背もたれ部側から座部側へ進出したときに、指圧用突起が座った者の腰部或いは背部を指圧する。
【手続補正６】
【補正対象書類名】明細書
【補正対象項目名】００１１
【補正方法】変更
【補正の内容】
【００１１】
請求項４に記載のエクササイズチェアによれば、請求項１〜３の何れかに記載の構成による効果に加えて、座部と背もたれ部の一部に温熱加熱される温熱加熱領域を設けたことで、冬場等においても、着座中に十分な暖を取りながらエクササイズを行うことができ、老人や病人にも使い易いものとすることができる。
【手続補正７】
【補正対象書類名】明細書
【補正対象項目名】００１２
【補正方法】変更
【補正の内容】
【００１２】
請求項５に記載のエクササイズチェアによれば、請求項１〜４の何れかに記載の構成による効果に加えて、肘掛部の一部に温熱加熱される温熱加熱領域を設けたことで、冬場等において、老人や病人が座って肘掛に手を置いた際にも冷たく感じることなく、心地よく座ってエクササイズに臨むことができる。